(57)【要約】【課題】  ステレオ用スピーカの低コスト化。【解決手段】  ステレオ用スピーカ１は２台のスピーカ５０を膨出部５１ｂ側面部分で互いに連結して一体化した構造を成している。フレーム２は２つの単一部品であるフレーム５２を連結部２ｂで連結一体化した形の部品である。基板４は２つの単一部品である基板５９を連結一体化した形の部品であり、フレーム２の連結部２ｂに配設されている。基板４にはコイル端末と外部接続端子であるバネ６０がハンダ付けされている。ヨーク５は２つの単一部品であるヨーク５２を連結部５ａで連結一体化した部品であり、フレーム２に固定されている。ヨーク５には磁石５３とトッププレート５４とが接合されて磁気回路部を構成している。リング６は２つの単一部品であるリング５７を連結部６ａで連結一体化した部品である。プロテクタ３は２つの単一部品であるプロテクタ５８を連結部３ｂで連結一体化した部品である。【選択図】      図２
2006166151.tif 000002
【特許請求の範囲】
【請求項１】
少なくともフレームと、このフレームに固定されたヨークとこのヨークに固定された磁石と、この磁石に固定されたトッププレートと、前記フレームに周縁部を固定された振動板と、この振動板に固定されたボイスコイルと、このボイスコイルの端末並びにこれと導通する外部接続端子を接続した配線回路とから成るスピーカの一対のセットであるステレオ用スピーカにおいて、前記フレーム、前記ヨーク、前記配線回路及び前記振動板のうち少なくとも１つ以上の部品について、ほぼ同一形状の２つの単一部品が連結一体化されて１つの部品を成していることを特徴とするステレオ用スピーカ。
【請求項２】
前記配線回路は２つの単一配線基板が連結一体化された配線基板であり、これを連結一体化された前記フレームの連結部に配設したことを特徴とする請求項１記載のステレオ用スピーカ。
【請求項３】
前記フレームには前記振動板の保護のためのプロテクタを配設したことを特徴とする請求項１記載のステレオ用スピーカ。
【請求項４】
前記プロテクタは２つの単一プロテクタが連結一体化されたプロテクタであることを特徴とする請求項３記載のステレオ用スピーカ。
【請求項５】
前記フレームには前記振動板と前記プロテクタとの間にリングを配設したことを特徴とする請求項３記載のステレオ用スピーカ。
【請求項６】
前記リングは２つの単一リングが連結一体化されたリングであることを特徴とする請求項５記載のステレオ用スピーカ。
【発明の詳細な説明】
【技術分野】
【０００１】
本発明は携帯電話等に用いられる電気音響変換器、更に詳しくはステレオ用のスピーカに関する。
【背景技術】
【０００２】
従来、電気音響変換器である小型スピーカは携帯電話等に広く用いられている（例えば、特許文献１参照。）。そして、近年携帯電話の着信音はステレオ化（立体音）されていて、１台の携帯電話に２個の小型スピーカが使われている。このような従来のステレオ用のスピーカの一例について図面を参照して説明する。図４は従来の小型スピーカの平面図であり、図５は図４のＢ−Ｂ断面を示す断面図である。図６はこのスピーカの底面図である。
【０００３】
まず、従来の電気音響変換器であるスピーカの構成について説明する。図４乃至図６において、５０はスピーカを示しており、５１はスピーカ５０の樹脂成形品から成るフレームを示している。フレーム５１は略円環状の胴部５１ａとその一部が外側へ方形に膨出した膨出部５１ｂとから成り、胴部５１ａは中央穴５１ｃと外周段部５１ｄとを有する。５２は中央穴５１ｃに固定された平鍋形状の磁性体から成るヨークを示している。５３はヨーク５２に接合された円盤状の永久磁石を示しており、５４は磁石５３上に接合された円盤状の磁性体から成るトッププレートを示している。そして、ヨーク５２、磁石５３及びトッププレート５４で磁気回路部を構成している。
【０００４】
５５は同心円状の波形を有する薄型の樹脂成形品から成る振動板を示している。振動板５５の周縁部はフレーム５１の外周段部５１ｄに接合されている。５６は巻き線を卷回して形成した円筒形のボイスコイルを示しており、振動板５５の下面に接合されている。ボイスコイル５６はヨーク５２とトッププレート５４との隙間である磁気ギャップｇに臨んでいる。５７は振動板５５の周縁部を押さえて外周段部５１ｄ上に接合されているリングを示している。５８は複数の放音孔５８ａを有するプロテクタを示しており、リング５７上に接合されて振動板５５を保護している。
【０００５】
５９は配線回路としての配線基板を示しており、配線基板５９上には一対の配線パターン５９ａが形成されていて、そこにはコイル端末５６ａがハンダ付けされている。ハンダ付け部は樹脂封止５９ｃで被覆されている。６０は外部接続端子としての圧縮コイルスプリングであるバネを示しており、その一方の端部が配線パターン５９ａと導通する配線パターン５９ｂ内に設けた回路基板５９の貫通穴を通してハンダ付けされている。６１はリアメッシュを示しており、フレーム５１の空気逃げ穴５１ｅを覆って防塵用の作用をしている。
【０００６】
次に、このスピーカ５０の作用について説明する。バネ６０に音響信号が入力されると、磁気回路部とコイル５６との間にフレミングの左手の法則に基づく作用が働いて、コイル５６が垂直方向に振動するから、コイル５６と接合された振動板５５が振動して発音し、音響が放音孔５８ａを通じて外部へ放出される。以上のスピーカ５０が２個で１セットのステレオ用スピーカとして使用されている。
【特許文献１】特開２００３−１４３６７６号公報（図１）
【発明の開示】
【発明が解決しようとする課題】
【０００７】
従来のこのような構成の電気音響変換器では、ステレオ化のために１台の携帯電話などに２個のスピーカを搭載している。このため、セットメーカにおいてはステレオ用のスピーカの部品費が通常のスピーカの２倍となっている。また、２個分のスピーカを組み立てることになるために組立費も通常のスピーカの２倍となっている。
【０００８】
本発明は、このような従来の問題を解決するためになされたものであり、その目的は、２個のスピーカを一体化することにより低コスト化をはかったステレオ用のスピーカを提供することである。
【課題を解決するための手段】
【０００９】
前述した目的を達成するための本発明の手段は、少なくともフレームと、このフレームに固定されたヨークとこのヨークに固定された磁石と、この磁石に固定されたトッププレートと、前記フレームに周縁部を固定された振動板と、この振動板に固定されたボイスコイルと、このボイスコイルの端末並びにこれと導通する外部接続端子を接続した配線回路とから成るスピーカの一対のセットであるステレオ用スピーカにおいて、前記フレーム、前記ヨーク、前記配線回路及び前記振動板のうち少なくとも１つ以上の部品について、ほぼ同一形状の２つの単一部品が連結一体化されて１つの部品を成していることを特徴とする。
【００１０】
また、前記配線回路は２つの単一配線基板が連結一体化された配線基板であり、これを連結一体化された前記フレームの連結部に配設したことを特徴とする。
【００１１】
また、前記フレームには前記振動板の保護のためのプロテクタを配設したことを特徴とする。
【００１２】
また、前記プロテクタは２つの単一プロテクタが連結一体化されたプロテクタであることを特徴とする。
【００１３】
また、前記フレームには前記振動板と前記プロテクタとの間にリングを配設したことを特徴とする。
【００１４】
また、前記リングは２つの単一リングが連結一体化されたリングであることを特徴とする。
【発明の効果】
【００１５】
本発明によれば、少なくともフレームと、このフレームに固定されたヨークとこのヨークに固定された磁石と、この磁石に固定されたトッププレートと、前記フレームに周縁部を固定された振動板と、この振動板に固定されたボイスコイルと、このボイスコイルの端末並びにこれと導通する外部接続端子を接続した配線回路とから成るスピーカの一対のセットであるステレオ用スピーカにおいて、前記フレーム、前記ヨーク、前記配線回路及び前記振動板のうち少なくとも１つ以上の部品について、ほぼ同一形状の２つの単一部品が連結一体化されて１つの部品を成しているので、スピーカの低コスト化、セットメーカにおける組立費削減を図ることができた。
【発明を実施するための最良の形態】
【００１６】
以下、本発明の実施の形態を図面を参照して詳細に説明する。図１は本発明の実施の形態であるステレオ用スピーカを示す平面図、図２は図１のＡ−Ａ断面を示す断面図、図３はこのスピーカの底面図である。
【００１７】
まず、本発明の実施の形態であるステレオ用スピーカの構成を説明する。図１乃至図３において、１はステレオ用スピーカを示しており、このスピーカ１は従来技術で説明した２台のスピーカ５０を膨出部５１ｂの側面部分で互いに連結して一体化した構造を成している。従って、従来と同じ構成要素には同じ符号と名称とを付して詳細な説明を省略する。２はこのスピーカ１の樹脂成形品のフレームを示しており、フレーム２は胴部２ａとこれらをつないでいる連結部２ｂとから成っており、２つの単一部品であるフレーム５２を連結一体化した形状を成している。
【００１８】
３は２つの単一部品であるプロテクタ５８を連結部３ｂで連結一体化した部品であるプロテクタを示している。４は２つの単一部品である配線基板５９を連結一体化した形状の配線基板を示している。５は２つの単一部品であるヨーク５２を連結部５ａで連結一体化した形状のヨークを示している。６は２つの単一部品であるリング５７を連結部６ａで連結一体化した部品であるリングを示している。
【００１９】
次に、本発明の実施の形態の効果について説明する。本発明のステレオ用スピーカには２個の単一部品を連結一体化した部品を用いているので、このように連結一体化した部品については部品の加工費がほぼ半減することになる。また、連結一体化によって部品点数が減ることになるので組立工程を簡素化することができる。従って、ステレオ用スピーカのコストダウンを図ることができる。また、ステレオ用スピーカのセットメーカでの組立工数は従来の２個分が１個分位にほぼ半減できる。そして、配線基板４をフレーム２の連結部２ｂに配設したので、スペースを有効に活用できステレオ用スピーカの小型化に役立っている。
【００２０】
なお、本発明のステレオ用スピーカには少なくともフレームと、このフレームに固定されたヨークと、このヨークに固定された磁石と、この磁石に固定されたトッププレートと、前記フレームに周縁部を固定された振動板と、この振動板に固定されたボイスコイルと、このボイスコイルの端末並びにこれと導通する外部接続端子を接続した配線回路とが含まれている。
【００２１】
なお、本発明における部品の連結一体化については、以上説明したように前記フレーム、前記基板、前記ヨーク、前記プロテクタ、前記リング及び前記振動板の必ずしも全てにおいて成されている必要はなく、少なくともそのうちの１つ以上の部品について成されていれば２個のスピーカの連結一体化がなされるので、本発明の目的を達成することができるものである。また、本発明のステレオ用スピーカにおいて、配線回路は上記の配線基板４に限らずリードフレームで構成したものであってもよい。
【産業上の利用可能性】
【００２２】
本発明のステレオ用スピーカは、携帯電話やＰＤＡ等の小型携帯情報端末に広く応用できるものである。
【図面の簡単な説明】
【００２３】
【図１】本発明の実施の形態であるステレオ用スピーカを示す平面図である。
【図２】図１のＡ−Ａ断面を示す断面図である。
【図３】本発明の実施の形態であるスピーカを示す底面図である。
【図４】従来のスピーカを示す平面図である。
【図５】図４のＢ−Ｂ断面を示す断面図である。
【図６】従来のスピーカを示す底面図である。
【符号の説明】
【００２４】
１  スピーカ
２  フレーム
３  プロテクタ
４  配線基板
５  ヨーク
６  リング
５３  磁石
５４  トッププレート
５５  振動板
５６  ボイスコイル
５６ａ  コイルの端末
６０  バネ
ｇ  磁気ギャップ
【図１】
2006166151.tif 000003
【図２】
2006166151.tif 000004
【図３】
2006166151.tif 000005
【図４】
2006166151.tif 000006
【図５】
2006166151.tif 000007
【図６】
2006166151.tif 000008